(57)【要約】モータコントローラ回路内のスイッチング装置（１６）の温度に基づき、モータトルクを動的に制御することにより、過熱温度条件のときであっても、モータのオペレーションを間断なく行う回路及び方法。回路（２０）は、仮にスイッチング装置の温度、又は該スイッチング装置の温度を推測するための電流フィードバック信号が、予め定めた値未満である場合には、固定リミット値、他方、仮に前記スイッチング装置の温度又は前記電流フィードバック信号が前記予め定めた値を超える場合には、前記温度信号に反比例する可変リミット値（１４）のいずれかに、トルク電流を限定する。したがって、過熱温度条件においては、当該モータは引き続きオペレートするが、トルクを低下させるので、前記スイッチング装置を冷却することができる。
2004503998.tif 000002
【特許請求の範囲】
【請求項１】
モータコントローラ回路内の複数のスイッチング装置の温度に基づき、モータトルクを動的に制御する回路において、
前記複数のスイッチング装置のうちの少なくとも１つのスイッチング装置の温度を表す温度信号を受信し、受信した温度信号に基づき、トルクリミット信号を生成する回路を備え、
前記トルクリミット信号は、
（ｉ）仮に前記温度信号が予め定めた値未満である場合は、固定リミット値であり、
（ｉｉ）仮に前記温度信号が前記予め定めた値を超える場合は、前記温度信号に反比例する可変リミット信号である
ことを特徴とする回路。
【請求項２】
請求項１において、複数の温度信号から最大温度信号を選択するセレクタと、
前記予め定めたリミットと、該予め定めたリミットを超える最大温度信号との温度差を表す信号を生成するため、前記最大温度信号を前記予め定めたリミットと比較するコンパレータと
をさらに備えたことを特徴とする回路。
【請求項３】
請求項２において、仮に前記温度差がゼロである場合に、前記固定リミット値を入力し、他方、仮に前記温度差がゼロを超える場合に、前記可変リミット信号を入力するスイッチをさらに備えたことを特徴とする回路。
【請求項４】
モータコントローラ回路内の複数のスイッチング装置の温度に基づき、モータトルクを動的に制御する方法において、
前記複数のスイッチング装置のうちの少なくとも１つのスイッチング装置の温度を表す温度信号を受信するステップと、
受信した温度信号に基づきトルクリミット信号を生成するステップと
を備え、
前記トルクリミット信号は、
（ｉ）仮に前記温度信号が予め定めた値未満である場合は、固定リミット値であり、
（ｉｉ）仮に前記温度信号が予め定めた値を超える場合は、前記温度信号に反比例する可変リミット信号である
ことを特徴とする方法。
【請求項５】
請求項４において、前記スイッチング装置の温度は、
複数の温度信号から前記スイッチング装置の温度に対応する最大温度信号を選択し、
選択された最大温度信号を予め定めた値と比較し、前記スイッチング装置の温度が、予め定め値未満か超えるかを表す温度差値を生成する
ことにより生成される最大温度信号により決定されることを特徴とする方法。
【請求項６】
モータコントローラ回路からのトルク発生電流フィードバック情報に基づき、モータトルクを動的に制御する回路において、
トルク発生電流フィードバック情報を受信し、受信したトルク発生電流フィードバック情報から、予め定めた電流リミット値を減じて、電流差信号を獲得する回路と、
前記電流差信号を積分演算する回路と、
トルクリミット信号を生成する回路と
を備え、
前記トルクリミット信号は、
（ｉ）仮に前記トルク発生電流フィードバック信号が予め定めた電流リミット値未満である場合は、固定リミット値であり、
（ｉｉ）仮に前記電流差信号が予め定めた電流リミット値を超える場合は、前記電流差信号に反比例する可変リミット信号である
ことを特徴とする回路。
【発明の詳細な説明】
【０００１】
（発明の背景）
伝統的なモータドライブシステムは、モータ電流制御と、関連するトルク制御とを導入していることが多い。モータ電流を制御するおもな目的は、モータの回転シャフトにかかるモータトルクを間接又は直接制御することにある。
【０００２】
図１は閉ループ電流制御が行われる慣用のＡＣモータドライブシステム２を示す。このようなシステムには、典型的には、モータコントローラ回路４が含まれる。モータコントローラ回路４において、モータドライブ電流線には、電流検知抵抗６が接続してあり、インバータのＩＧＢＴとそれぞれ関係付けをした温度センサＴｊが接続してある。電流検知抵抗６と温度センサＴｊからのフィードバック信号は、トルク発生電流基準信号Ｉｑ＊とともに、電流制御ドライブシステム８に入力されている。これらの入力に基づき、電流制御ドライブシステム８により、当該モータのトルクを制御するため、適正なＰＷＭ信号がＩＧＢＴゲートドライブに供給されている。
【０００３】
典型的には、スイッチング装置の過熱に起因してモータドライブに障害が発生した場合には、電流制御システム８がモータドライブシステム２全体を自動的にシャットダウンするようにしてある。完全にシャットダウンされると、モータドライブシステム２は大惨事から免れる。しかしながら、当該モータドライブシステム２全体を不用意にシャットダウンすることは望ましくなく、中断につながり、コストが高くつく。というのは、モータドライブインバータをシャットダウンするだけでなく、関連するマシンのシャットダウンもコーディネートするからである。
【０００４】
（発明の概要）
本発明によれば、スイッチング装置、例えば、インバータのＩＧＢＴＳが過熱したときにおいても、不用意にトリップせずに、モータドライブシステムにより引き続きオペレートすることができる。
【０００５】
例えば、鋼材を切断するためのＣＮＣミリングマシンの応用においては、トルクを低下させてオペレーションを続行することができる。そうして、制御可能な範囲において、スイッチング装置の温度を降下させることができ、この温度においては、フルトルクで切断を再開できる。
【０００６】
本発明によれば、過熱温度条件においても、モータコントローラ回路のスイッチング装置の温度に基づき、モータトルクを動的に制御することにより、モータを間断なくオペレートすることができる。本発明に係る回路によれば、実際のトルク電流と所望のトルク電流との差を表すトルク発生信号が生成される。そして、この本発明に係る回路により、このトルク発生信号が、固定リミット値（スイッチング装置の温度が予め定めた値未満である場合）、又は当該温度信号に反比例する可変リミット値（スイッチング装置の温度が予め定めた値を超えた場合）のいずれかに限定される。したがって、過熱温度条件において、当該モータは引き続きオペレートするが、トルクが低下し、もって、スイッチング装置が冷却される。
【０００７】
本発明の他の特徴及び利点は、図面を参照して説明する実施の形態から明らかになる。
【０００８】
（好ましい実施の形態）
図２は本発明に係るトルク電流コントローラ１０の好ましい実施の形態を示す。当然のことであるが、トルク電流コントローラ１０については、当業者であれば、アナログ回路、又はソフトウェアベースのマイクロコントローラを有するデジタル回路若しくはＤＳＰ（ｄｉｇｉｔａｌ ｓｉｇｎａｌ ｐｒｏｃｅｓｓｏｒ）を有するデジタル回路のいずれかでインプリメントすることができる。
【０００９】
図２に示す実施の形態においては、トルク発生基準電流Ｉｑ＊は電流リミットブロック１４に入力される。電流リミットブロック１４はトルク発生電圧を所望のリミットレンジ内に限定するものである。このレンジリミットは、測定された接合温度Ｔｊがワーニングレベル未満であっても、固定（図２に示すＶｌｉｍ）であるのが通常である。しかしながら、本発明においては、このトルクリミットは、測定された接合温度Ｔｊが予め定めたリミットを超える場合には、変化する（図２に示すＴｌｉｍ）。
【００１０】
図２に示すように、接合温度フィードバック情報は複数のフィードバック信号（Ｔｊ１，Ｔｊ２，．．．）から取り出される。例えば、ＩＧＢＴからそれぞれ１つのフィードバック信号が取り出される。そして、これら温度フィードバック信号の最大値はセレクタ１６によって取り出される。
【００１１】
可変トルクリミットＴｌｉｍは、予め定めた値と、この予め定めた温度を超えた当該スイッチング装置の接合温度、例えば、ＩＧＢＴＳとの温度差に依存する。接合温度（Ｍａｘ Ｔｊ）は定期的に監視され、電流コントローラにフィードバックされ、ワーニングレベルの温度（Ｍａｘ Ｔｊ Ｌｉｍｉｔ）と比較される。このワーニングレベルの温度は当該システムにより事前に規定されたもので、例えば、１２５℃である。
【００１２】
接合温度Ｍａｘ Ｔｊが、予め定めたリミットを超えた場合には、この接合温度の超えた分ΔＴｊが除算ブロック１８にフィードバックされ、反比例値（Ｔｌｉｍ ＝ Ｋ／ΔＴｊ）が生成される。この生成された値は、動的トルクリミットであり、スイッチブロック２０を介してリミットブロック１４に入力される。スイッチブロック２０は、Ｍａｘ Ｔｊが、予め定めたミットを超えたときはその度に、リミットを固定値Ｖｌｉｍから可変リミット値Ｔｌｉｍに切り換えるものである。この動的リミット値は、反比例値であって、接合温度が上昇したときに、トルク発生電圧コマンドＶｑを降下させるのにサーブされる。このようにして、過熱スイッチング装置にそれぞれ流れる電流が減少され、もってＡＣモータドライブシステムは、トリップすることなく、オペレーションを維持することができる。
【００１３】
リミットブロック１４の出力は、トルク発生電流コマンドｌｑ＿ｌｉｍｉｔである。このリミット信号ｌｑ＿ｌｉｍｉｔは、モータコントローラからのトルク発生電流フィードバック信号Ｉｑと、ノード２２において合成される。得られた差信号はトルク発生電流レギュレータ２４により増幅される。トルク発生電流レギュレータ２４は、例えばＰＩ（Ｐｒｏｐｏｒｔｉｏｎａｌ ｐｌｕｓ Ｉｎｔｅｇｒａｌ）増幅器によりインプリメントすることができる。増幅器２４の出力は、トルク発生電圧信号であり、当該モータに供給される。
【００１４】
図３を説明する。図２のトルク電流リミット制御回路は、接合温度情報に代えてトルク発生電流フィードバック情報を用いても、同様の機能を奏することができる。図３に示すように、入力ブロック２６は、トルク発生フィードバック電流ｉｑを受け取り、予め定めたトルク電流リミット値ｉｑ＿ｌｉｍを減じる。積分ブロック２８において、電流差の２乗の積分が演算され、Ｉ２ｔがパフォームされると、スイッチング装置の温度又はモータ温度の上昇のいずれかが推測される。トルク発生基準電流ｌｑ＊からＩｑ＿ｌｉｍｉｔトルク発生電流コマンドを生成するため、トルク発生電流フィードバックが、予め定めたリミットｉｑ＿ｌｉｍを超えたか否かに応じて、動的トルク又は固定トルクリミットを用いて、動的トルク又は固定トルクリミットに限定される。
【００１５】
以上、本発明を、本発明の実施の形態に関連して説明したが、本発明は変更及び修正することができ、他に応用できることも当業者にとって当然のことである。本発明は本開示に限定されるものではなく、ただ特許請求の範囲に限定されるものである。
【図面の簡単な説明】
【図１】
閉ループ電流制御を行う典型的なＡＣモータドライブシステムを示すブロック図である。
【図２】
本発明に係るトルク制御を行う電流コントローラを示すブロック図である。
【図３】
接合温度情報に代えてトルク発生電流フィードバック情報を用いて同様の機能をパフォームする図２のトルク電流リミット回路の応用例を示すブロック図である。
【図１】
2004503998.tif 000003
【図２】
2004503998.tif 000004
【図３】
2004503998.tif 000005
【国際公開パンフレット】
2004503998.tif 000006
2004503998.tif 000007
2004503998.tif 000008
2004503998.tif 000009
2004503998.tif 000010
2004503998.tif 000011
2004503998.tif 000012
2004503998.tif 000013
2004503998.tif 000014
2004503998.tif 000015
【国際調査報告】
2004503998.tif 000016